(57)【要約】【課題】簡単な構造で基板を位置決めすることが可能な冷蔵庫を提供することを目的とする。【解決手段】発泡断熱材７と、透光性を有する扉前面部材としての扉前面板６と、扉前面板６の後方に断熱材と離隔した空間を形成してその空間内に基板組品１２を保持する保持部としてのケースカバー１８と、扉前面板６の操作部９と、操作部９の扉前面板６の後方に設けられて静電容量の変化を検出する検出部１４と、ケースカバー１８の終端部付近に設けられて基板組品１２に近づく方向に突出した突出部１９１，１９２とを備え、基板組品１２がケースカバー１８の空間に、検出部１４が扉前面板６に当接可能な状態で挿入され、突出部１９１，１９２が基板組品１２に接触した状態で挿入が完了する。【選択図】図３
2014059074.tif 000002
【特許請求の範囲】
【請求項１】
冷蔵庫本体に設けられた貯蔵室と、
前記貯蔵室の前方開口を開閉する貯蔵室扉と、
前記貯蔵室扉内に設けられた断熱材と、
前記貯蔵室扉の前面に設けられた透光性を有する扉前面部材と、
前記扉前面部材の後方に前記断熱材と離隔した空間を形成してその空間内に基板を保持する保持部と、
前記扉前面部材の操作部と、
前記操作部の前記扉前面部材の後方に設けられて静電容量の変化を検出する検出部と、  前記保持部の終端部付近に設けられて前記基板に近づく方向に突出した突出部とを備え、
前記基板が前記挿入部から前記空間に、前記基板又は前記保持部が前記扉前面部材に当接可能な状態で挿入され、前記突出部が前記基板に接触した状態で挿入が完了する、冷蔵庫。
【請求項２】
前記突出部は冷蔵庫の上下方向に延びるように形成される、請求項１に記載の冷蔵庫。
【請求項３】
前記基板は、前記突出部に近づく方向に延在して前記突出部と当接する脚部を有する、請求項１または２に記載の冷蔵庫。
【請求項４】
前記基板の前記空間への挿入方向の端部の後方に屈曲した基板屈曲部、前記保持部の前記空間への挿入方向の端部の後方に屈曲した保持部屈曲部のいずれか、もしくは両方が設けられている、請求項１〜３のいずれかに記載の冷蔵庫。
【発明の詳細な説明】
【技術分野】
【０００１】
この発明は、冷蔵庫に関し、より特定的には、扉正面部に操作部が設けられた冷蔵庫に関するものである。
【背景技術】
【０００２】
従来、冷蔵庫は、例えば特開２０１１−３８７１２号公報に開示されている。
【先行技術文献】
【特許文献】
【０００３】
【特許文献１】特開２０１１−３８７１２号公報
【発明の概要】
【発明が解決しようとする課題】
【０００４】
特許文献１に記載の従来の冷蔵庫では、基板をガイドするガイド溝が必要とされており、ガイド溝の作成コストがかかるという問題があった。
【０００５】
そこで、この発明は上記の問題を解決するためになされたものであり、簡単な構造で基板を位置決めすることが可能な冷蔵庫を提供することを目的とするものである。
【課題を解決するための手段】
【０００６】
この発明に従った冷蔵庫は、冷蔵庫本体に設けられた貯蔵室と、貯蔵室の前方開口を開閉する貯蔵室扉と、貯蔵室扉内に設けられた断熱材と、貯蔵室扉の前面に設けられた透光性を有する扉前面部材と、扉前面部材の後方に断熱材と離隔した空間を形成してその空間内に基板を保持する保持部と、扉前面部材の操作部と、操作部の扉前面部材の後方に設けられて静電容量の変化を検出する検出部と、保持部の終端部付近に設けられて基板に近づく方向に突出した突出部とを備え、基板が挿入部から空間に、基板又は保持部が扉前面部材に当接可能な状態で挿入され、突出部が基板に接触した状態で挿入が完了する。
【０００７】
このように構成された冷蔵庫では、突出部により基板を位置決めするため、ガイド溝を設ける必要がない。その結果、簡単な構造で基板を位置決めすることが可能である。
【０００８】
好ましくは、突出部は冷蔵庫の上下方向に延びるように形成される。
好ましくは、基板は、突出部に近づく方向に延在して突出部と当接する脚部を有する。
【０００９】
好ましくは、基板の空間への挿入方向の端部の後方に屈曲した基板屈曲部、保持部の空間への挿入方向の端部の後方に屈曲した保持部屈曲部のいずれか、もしくは両方が設けられている。
【図面の簡単な説明】
【００１０】
【図１】この発明の実施の形態に従った冷蔵庫の正面図である。
【図２】図１中のＰで示す部分を拡大した図である。
【図３】図１中のＩＩＩ−ＩＩＩ線に沿った断面図である。
【図４】ケースカバーおよびそれに係合する基板組品の図である。
【図５】ケースカバーを詳細に示す斜視図である。
【図６】基板組品を詳細に示す斜視図である。
【図７】別の局面に従った基板組品の断面図である。
【発明を実施するための形態】
【００１１】
以下、この発明の実施の形態について、図面を参照して説明する。なお、以下の実施の形態では同一または相当する部分については同一の参照符号を付し、その説明については繰返さない。
【００１２】
図１は、この発明の実施の形態に従った冷蔵庫の正面図である。図１を参照して、冷蔵庫本体１は、上から順に冷蔵室２４，冷凍室４４１，野菜室５４等を有している。冷蔵室２４と冷凍室４４１との間には、急冷凍室４４２が設けられて、急冷凍室４４２の隣に製氷室４４３が設けられている。
【００１３】
また、各貯蔵室の前方開口には、該前方開口を開閉する扉が設けられている。すなわち、冷蔵室２４の前方開口には、左冷蔵室扉２１及び右冷蔵室扉２２が設けられ、冷凍室４４１，急冷凍室４４２，製氷室４４３及び野菜室５４の夫々の前方開口には、冷凍室扉４２，急冷凍室扉４３，製氷室扉４１及び野菜室扉５が夫々設けられている。
【００１４】
左冷蔵室扉２１及び右冷蔵室扉２２は、夫々冷蔵庫本体１の上部に設けられた上ヒンジ３（左ヒンジ３１，右ヒンジ３２）等によって、観音開き式に回転自在に軸支されている。
【００１５】
冷凍室扉４２，急冷凍室扉４３，製氷室扉４１及び野菜室扉５は、夫々引き出し式の扉であって、夫々の貯蔵室の容器とともに引き出し自在である。
【００１６】
左冷蔵室扉２１及び右冷蔵室扉２２，冷凍室扉４２，急冷凍室扉４３，製氷室扉４１並びに野菜室扉５は、その外表面に透明度のあるガラス板６１が設けられている。
【００１７】
発泡断熱材７は、図３に示すように、ガラス板６１から成る扉前面板６と扉内板８との間に充填発泡される。この板厚は、冷蔵庫組み立て時、冷蔵庫移送時、及び冷蔵庫使用時等に生じる衝撃によってガラス板６１が割れたり、亀裂が生じたりしない寸法である。
【００１８】
図２は、図１中のＰで示す部分を拡大した図である。図２を参照して、操作部９は、使用者が外部から操作することで、冷蔵室２４及び冷凍室４４１等の各貯蔵室の室温を設定したり、冷蔵室２４や冷凍室４４１を急速に冷却したり、製氷の大きさを設定したりする。また、冷蔵室２４に設けられ、貯蔵空間を減圧或いは低酸素状態にして、貯蔵食品の鮮度維持や酸化劣化の抑制を図る貯蔵室（図示なし）の温度を調節したり、減圧或いは低酸素化の機能を切るように設定したりする。
【００１９】
表示部１０は、操作部９からの入力結果を冷蔵庫本体１の外部に表示する。これにより、使用者が操作部９で行った操作を確認したり、先に設定されている諸機能の状態を確認したりすることができる。表示部１０および操作部９ともに、扉前面からガラス板を透過して表示される。
【００２０】
操作部９及び表示部１０は、特別なパネルを取り付けたものではなく、ガラス板６１に設けられている。すなわち、左冷蔵室扉２１に設けられたガラス板６１は、操作部９及び表示部１０を含めて、該左冷蔵室扉２１の外表面全体に亘って平面になるように設けられている。
【００２１】
ガラス板６１の裏面は、表示部１０及び操作部９を除き、有色塗料が塗布されている。これにより、発泡断熱材７が正面側より見えないように処理されて、かつ操作部９及び操作部９に併設された表示部１０は明確に視認されるので、外観性の優れた扉を構成している。
【００２２】
図３は、図１中のＩＩＩ−ＩＩＩ線に沿った断面図である。図３を参照して、基板組品１２は、表示部１０を照明するＬＥＤ発光部１３、静電容量の変化を検出する検出部１４、判定部（図示せず）マイコンを含む自動制御部（図示せず）等を備えているベース部１５、表示文字が印刷されたフィルム１６、基板ケース１７等より構成されている。
【００２３】
ベース部１５（検出部１４を含む）は、該ベース部１５の表側の一面がフィルム１６で覆われ、他の一面が基板ケース１７で覆われている。フィルム１６は、検出部１４に密着している。また、フィルム１６は、ＬＥＤ発光部１３の光を裏面から表面に透過して、ガラス板６１側に透過させる構成である。
【００２４】
検出部１４は、左冷蔵室扉２１への組み込み時には操作部９と対をなすものである。すなわち、図３に示すように、絶縁体であるガラス板６１及びフィルム１６を介して、操作部９が表側に検出部１４が裏側になるよう重なるように設けられる。
【００２５】
なお、判定部（図示せず）は、ベース部１５内において操作部９と検出部１４との間の静電容量変化を検出する。静電容量に変化がある場合、当該静電容量の変化に応じて発振，振幅が変化する発振回路を含んでいる。これにより、判定部が出力するスイッチ信号、オン／オフ信号を取り出した自動制御部は、負荷を駆動させる。なお、単に操作部９の前を使用者が通ったり、冷蔵庫前面（左冷蔵室扉２１）を使用者が掃除のために拭いたりする動作等によっては、判定部が出力するスイッチ信号，オン／オフ信号を出力しない構成としてある。
【００２６】
すなわち、冷蔵庫の扉前面板６を構成するガラス板６１は絶縁体であり、且つ透光性の板材である。そして、ガラス板６１前面を操作部９とすべく、ガラス板６１の操作部９の裏面に位置するフィルム１６に、印刷等で表わされた文字や記号で操作部９の操作内容が表示されている。
【００２７】
操作部９に対向するガラス板６１の裏面には、ベース部１５上に設けられて判定部に繋がる検出部１４が、フィルム１６を介して近接するように設ける。操作部９の操作内容を示す表示及び操作部９に併設して設けられる表示部１０等の文字表示は、ベース部１５の表面を覆うフィルム１６の表面に印刷等で表わされている。
【００２８】
そして、操作部９の表示及び表示部１０の文字表示は、ベース部１５上に設けられたＬＥＤ発光部１３により、裏面から照らされて明示される。更に、操作部９に手や指が触れると、ベース部１５上の検出部１４が、ガラス板６１との間の静電容量の変化を感知して、ベース部１５上の判定部に知らせる。そして、判定部が入力を検出すると、自動制御部を介して負荷を動作させる。
【００２９】
ベース部１５に静電容量の変化を検出する検出部１４を設け、判定部が静電容量の変化を判定した際には、ベース部１５に備えられたブザーが報知音を発するとともに、制御内容の変化に伴い報知音に音階をつけている。
【００３０】
ケースカバー１８は、基板組品１２を発泡断熱材７より隔離する役目を果たす。また、ベース部１５表面のフィルム１６を、扉前面板６であるガラス板６１に密接若しくは近接するように、基板組品１２をケースカバー１８内に保持する役目を果たす。
【００３１】
有色塗料面１９は、操作部９及び表示部１０を除き、ガラス板６１の裏面全域に設けられている。
【００３２】
保護フィルム１９ａは、ガラス板６１に大きな衝撃が加えられてガラスが割れた場合や亀裂が入った場合であっても、周囲に飛び散らないよう保護している。また、この保護フィルム１９ａは、有色塗料面と同じ面に貼られている。このことにより、扉正面側より発泡断熱材７が透けることで、外観を損なうことを防止している。
【００３３】
また、基板組品１２は、冷蔵庫本体１の最上部に設けられた冷蔵室２４の扉、すなわち、左冷蔵室扉２１に設けられている。この高さ位置は、小さな子供の手が届かない位置である。また、使用者にとって見やすく操作し易い位置となる。
【００３４】
さらに、本実施形態の場合、表示部１０が従来の如く扉前面板６より突出していない。これにより、小さな子供は表示部１０がそこにあること自体を認識し難い。すなわち、子供による悪戯操作を低減できる。
【００３５】
図４は、ケースカバーおよびそれに係合する基板組品の図である。図４を参照して、基板組品１２からは脚部２０が外側方向に突出している。脚部２０は、ケースカバー１８に設けられた突出部１９１，１９２と当接しており、突出部１９１，１９２により脚部２０が押圧されている。突出部１９１，１９２の数は、図４で示すものよりも多くてもよく、または、少なくてもよい。
【００３６】
図５は、ケースカバーを詳細に示す斜視図である。図５を参照して、ケースカバー１８には、横方向に延在する条部１９３が形成されている。条部１９３は、上下に２本設けられており、上側の条部は図示されていない。条部１９３の厚みは一定でもよく、変化していてもよい。条部１９３上に突出部１９１，１９２が設けられる。この例では４か所に突出部１９１，１９２を設けているが、より多くの突出部１９１，１９２を設けてもよい。
【００３７】
図６は、基板組品を詳細に示す斜視図である。図６を参照して、板状の基板組品１２の隅部に４つの脚部２０が配置されている。脚部２０が突出部１９１，１９２と当接して押圧されることで基板組品１２が位置決めされる。矢印Ａで示す方向に基板組品１２が空間に挿入される。
【００３８】
図７は、別の局面に従った基板組品の断面図である。図７を参照して、基板組品１２およびベース部１５の先端部に屈曲部Ｒ１，Ｒ２が設けられていてもよい。屈曲部Ｒ１およびＲ２を設けることで基板組品１２を空間へ挿入する際に、基板部品１２およびベース部１５の角で扉前面板の裏面を傷付けることを防止できる。
【００３９】
ベース部１５はフィルム１６で覆われているため、挿入時にベース部１５がガラス板裏面に当接した場合でもフィルム１６によってすべりが良くなる。その結果、挿入しやすくなるとともに、ガラス板裏面の傷付きを防止することが可能となる。
【００４０】
この発明に従った冷蔵庫は、冷蔵庫本体に設けられた貯蔵室としての冷蔵室２４と、冷蔵室２４の前方開口を開閉する貯蔵室扉としての左冷蔵室扉２１と、左冷蔵室扉２１内に設けられた断熱材としての発泡断熱材７と、左冷蔵室扉２１の前面に設けられた透光性を有する扉前面部材としての扉前面板６と、扉前面板６の後方に断熱材と離隔した空間を形成してその空間内に基板組品１２を保持する保持部としてのケースカバー１８と、扉前面板６の操作部９と、操作部９の扉前面板６の後方に設けられて静電容量の変化を検出する検出部１４と、ケースカバー１８の終端部付近に設けられて基板組品１２に近づく方向に突出した突出部１９１，１９２とを備え、基板組品１２がケースカバー１８の空間に、基板組品１２又はベース部１５及びベース部上面のフィルム１６が扉前面板６に当接可能な状態で挿入され、突出部１９１，１９２が基板組品１２に接触した状態で挿入が完了する。突出部１９１，１９２は冷蔵庫の上下方向に延びるように形成される。基板組品１２は、突出部１９１，１９２に近づく方向に延在して突出部１９１，１９２と当接する脚部２０を有する。
【００４１】
このように構成された冷蔵庫では、突出部１９１，１９２により基板組品１２を位置決めするため、ガイド溝を設ける必要がない。その結果、簡単な構造で基板組品を位置決めすることが可能である。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４３】
１  冷蔵庫本体、３  ヒンジ、５  野菜室扉、６  扉前面板、７  発泡断熱材、８  扉内板、９  操作部、１０  操作部、１２  基板組品、１３  発光部、１４  検出部、１５  ベース部、１６  フィルム、１７  基板ケース、１８  ケースカバー、１９  有色塗料面、２０  脚部、２１  左冷蔵室扉、２２  右冷蔵室扉、２４  冷蔵室、３１  左ヒンジ、３２  右ヒンジ、４１  製氷室扉、４２  冷凍室扉、１９１，１９２  突出部。
【図１】
2014059074.tif 000003
【図２】
2014059074.tif 000004
【図３】
2014059074.tif 000005
【図４】
2014059074.tif 000006
【図５】
2014059074.tif 000007
【図６】
2014059074.tif 000008
【図７】
2014059074.tif 000009